(57)【要約】      （修正有）【課題】落下試験での強度に優れ、しかも内層が短いものに比べて、充填物が中間層との間や中間層と外層との間に移動するおそれがなく、三層折り返しよりも折り返し部分の厚さが薄いので、パレットに平均した厚みとなるように重ねること自体が容易となり、トラック輸送中に荷崩れを起こしにくい三層紙袋を提供する。【解決手段】内層、中間層、外層の三層構成の筒状体からなる紙袋であって、三層構成の筒状体の一方の端部を折り曲げ部とし、折り曲げ部を補強紙で包囲接着した閉鎖部において、内層及び該外層は折り曲げ部を有する非切断層とし、中間層は折り曲げ長さの三倍の長さだけ切断除去され、内層と該外層とを二回折り曲げ、かつ折り曲げ部を包被するように補強紙を当てて、少なくとも補強紙を該外層に接着して、端部を閉鎖した三層紙袋。【選択図】 図２
2008296933.tif 000002
【特許請求の範囲】
【請求項１】
内層、中間層、外層の三層構成の筒状体からなる紙袋であって、該三層構成の筒状体の一方の端部を折り曲げ部とし、該折り曲げ部を補強紙で包囲接着してなる閉鎖部において、該内層及び該外層は折り曲げ部を有する非切断層とし、該中間層は折り曲げ長さの三倍の長さだけ切断除去され、該内層と該外層とを二回折り曲げ、かつ該折り曲げ部を包被するように補強紙を当てて、少なくとも該補強紙を該外層に接着して、端部を閉鎖したことを特徴とする三層紙袋。
【請求項２】
前記内層の筒状体の内面、中間層の内外表面、外層の内面のいずれかにポリオレフィン樹脂層が設けられたことを特徴とする請求項１記載の三層紙袋。
【発明の詳細な説明】
【技術分野】
【０００１】
本発明は、主としてクラフト紙からなる多層紙袋特に三層紙袋の改良された閉鎖部の構造に関する。
【背景技術】
【０００２】
主としてクラフト紙から構成された多層紙袋は、肥料、米穀、セメント、栽培用の土など、ある程度の防湿、防水効果があり、輸送及び保存に耐えるものとして多く用いられている。
かかる多層袋は通常ひだ付筒状体からなる紙袋あるいはひだ無し紙袋が知られているが、その封止部（多くは底部となる）は、たこ糸等でミシン縫いするか、端部全体を一方向（胴貼り部を構成するいわゆる裏面側）に折り曲げて接着剤で接着したものが知られているが、近時は内容物を排出しやすくするために該封止部を折り曲げて、補強紙で封止して、この補強紙に付されている剥ぎ取り用のテープ又は糸を用いて開封するようにしたものが、開封作業の容易性から多く用いられている。特に封止部の折り曲げは、内容物の気密を保持するために通常は２回折り曲げられて構成されているものが代表的である。この２回折り曲げは、１回折り曲げでは開口部より、外部から異物が混入するおそれがあることから改良案として出現したものである。また多層紙袋の代表的なものは三層紙袋である。
なお、特許文献等としては下記のものがある。なお、本発明における補強紙と引用文献における当て紙は同一のものである。
【０００３】
【特許文献１】特開平４−１４２２５７号公報
【特許文献２】実公昭４４−１５５７２号公報
【特許文献３】特開平７−２８５５５８号公報
【特許文献４】特開２０００−１２１８４号公報
【特許文献５】特開２００１−３９４５２号公報
【特許文献６】特開２００４−２１７２８５号公報
【０００４】
上記特許文献等の記載内容について概略説明すれば、実開昭６２−１１５３４８号公報には、多層紙袋で、折り曲げられた底部を別の当て紙で覆ってその端部を接着したものが記載されている。
特開平４−１４２２５７号公報には、袋底部を改良し、複数層の襞付の筒状体からなる端部を２度折り曲げ巻き込むようにして３重折り曲げ部を形成し、この折り曲げ部を包囲するように開封用のテープ付当て紙をもって閉塞した構造が示されている。
実公昭４４−１５５７２号公報には、外層に切り込みを入れて他の層全部を内側に折り曲げ、外層の内面と折り曲げ部の表面に糊を施したものが記載されている。
特開平７−２８５５５８号公報には、被包装物の落ちこぼれを防止するため端部を表面側に１回折り曲げて当て紙で包囲した底部閉鎖部とし、表面側に２回折り曲げて当て紙で包囲した底部閉鎖部が示されている。
特開２０００−１２１８４号公報には、紙の片面に樹脂層を積層した積層部と、樹脂層が積層されていない非積層部が混在するようにしたもので、透気性と、透湿性とを備えた紙袋が提案されているが、底部に特別な考案はされていない。
特開２００１−３９４５２号公報には、第１筋、第２筋、斜め筋で第１折込み部Ｘ，第２折込み部Ｙ，斜め折込み部Ｚを折込み、吹き込み口側底貼り部を形成した多層紙袋で、内容物の粉もれ、粉ふきを防止したものが記載されている。
特開２００４−２１７２８５号公報には最内部の筒状体を構成する層は折り曲げ部を構成する非切断層とし、最外部の筒状体を構成する層は折り曲げ部の長さより短い切断層とし、中間の筒状体を構成する層は最内層又は最外層と同じく非切断層もしくは切断層とした多層紙袋が記載されている。
【発明の開示】
【発明が解決しようとする課題】
【０００５】
従来技術による多層紙袋について考察すると、３層全部が２回折り返されたものにあっては、折り返し部分の強度は当然高強度であるが、端部の厚さが厚くなり過ぎ、パレットに平均した厚みとなるように重ねること自体が難しく、トラック輸送中に荷崩れを起こしやすいという問題がある。
他の一例として、外層のみ非切断層とし、内層と中間層が端部の折り返しをしない程度に短く切断されていて、外層のみ２回折り返し、折り返し部分を補強紙で包被したものが用いられているが、これに塩、砂糖、米穀、肥料、土壌、プラスチック、農薬などを充填して輸送販売する場合、このような多層袋は強度が不十分で、かつ封鎖端部では各層間に内容物が移動進入し、残存する外層の端部の紙を破損する危険性が避けられなかった。また、一層しか折り返しれていないために、落下試験での強度が不十分であった。
【課題を解決するための手段】
【０００６】
本発明者はかかる実状に鑑み、三層紙袋の端部の封鎖部の構造を改良することで、前記問題点を解決し得ることを見出した。
【０００７】
すなわち、請求項１の発明は、内層、中間層、外層の三層構成の筒状体からなる紙袋であって、該三層構成の筒状体の一方の端部を折り曲げ部とし、該折り曲げ部を補強紙で包囲接着してなる閉鎖部において、該内層及び該外層は折り曲げ部を有する非切断層とし、該中間層は折り曲げ長さの三倍の長さだけ切断除去されて短く構成され、内層と外層とを二回折り曲げ、かつ該折り曲げ部を包被するように補強紙を当てて、少なくとも該補強紙を該外層に接着して、閉鎖したことを特徴とする三層紙袋であり、
請求項２の発明は、前記内層の筒状体の内面、中間層の内外表面、外層の内面のいずれかにポリオレフィン樹脂層が設けられたことを特徴とする請求項１記載の三層紙袋である。
【発明の効果】
【０００８】
本発明によれば、内外両層のみ長く、中間層が短い多層紙袋であって、内外２層を２回折り曲げて、該折り曲げ部に当て紙をあてて封止してあるから、落下試験での強度に優れ、しかも内層が短いものに比べて、充填物が中間層との間や中間層と外層との間に移動するおそれがなく、三層折り返しよりも折り返し部分の厚さが薄いので、パレットに平均した厚みとなるように重ねること自体が容易となり、トラック輸送中に荷崩れを起こしにくいなどの効果を奏するものである。
【発明を実施するための最良の形態】
【０００９】
以下図面により本発明を詳述する。各図とも同一部分には同一符号を付して説明する。図１はクラフト紙を３枚使用して三層構成の筒状体（紙袋）を形成する前の状態を説明するための一部切開の斜視図であり、図２は本発明の１実施例の閉鎖部の縦断面図である。  図に於いて、Ｌは折り曲げ幅で、折り線Ｐ１、Ｐ２において２度折りされるので、折り曲げ幅はそれぞれ同じ幅のＬが示されている。なお、中間層は折り返されないので、ほぼ３だけ短く構成されている。
図に於いて、多層に構成された筒状体は、外層ａ，中間層ｂ，内層ｃで構成され、図１ではひだ付三層紙袋であるので、側面に折りひだｈを有している。また、中間層ｂ，内層ｃは区別を理解しやすくするために、斜線で区別して表現した。なお、袋によってはひだ無しもある。ｇは折り曲げ部分の厚さを示す。
【００１０】
図２に於いては、外層ａと内層ｃは同じ長さで、中間層ｂは外層ａ及び内層ｃより３Ｌだけ短く切断されて構成されている。ｄは補強紙、ｅ，ｆは接着剤である。また、三層構成の筒状体（紙袋）の場合、外層ａおよび内層ｃの先端部分は、折り曲げ長さＬの幅で、折り線Ｐ１とＰ２にて２度折される。そして折り返した側の表面には、外層の上部の３Ｌの位置まで、その反対面はほぼ２Ｌの位置までまでの範囲が、補強紙ｄが外層ａを包被するようにされて貼り付けられて設けられている。
すなわち、この切断されることなく長く形成され紙層（外層ａ，内層ｃ）の端部を折り曲げ長さＬの幅をもって折り線Ｐ１とＰ２にて２度折りして、折り曲げられ、その折曲げ部を包被するように、補強紙ｄを当てがい、外層ａの表面に接着剤ｅ、ｆで接着して閉鎖状態にして構成されている。
また、前記内層の筒状体の内面、中間層の内外表面、外層の内面のいずれかにポリオレフィン樹脂層が設けられたものにあっては、ポリオレフィン樹脂の防湿性により内容物が吸湿したり、水分との化学変化を生じがたいので、肥料や樹脂などの微粉末、微粒子の包装に適している。
【００１１】
なお、図示しないが、切断されることなく長く形成され紙層（外層ａ，内層ｃ）の端部は、相互に密封するように接着剤で接着してもよい。
また、補強紙ｄの外層ａの表面への接着部分は、図示のように外層の表側と裏側の端面にのみ接着するのにとどまらず、折り曲げ部全体に接着剤を塗布して接着してもよい。
【００１２】
本発明による三層紙袋の効果を立証するために、本発明による三層紙袋（実施例）と、三層全部を二度折して補強紙を貼り付けた紙袋（比較例）とを用い、クラフト紙関係法規則で定められた紙袋の落下強さをＪＩＳ  Ｚ  ０２１７−１９９８のクラフト紙袋−落下試験方法に準拠して試験をした。そしてＪＩＳ  Ｚ  １５０５の参考試験において定められた紙袋の落下強さを標準として判断した。
ただし、実施例は折り曲げ長さＬが５０ｍｍ，比較例は公知のもので、折り曲げ長さＬが２５ｍｍのものを試験用に用い、それぞれ塩を２５ｋｇ充填したものとした。
【００１３】
垂直落下試験
実施例及び比較例の各袋に２５ｋｇの塩を封入して行った。温度２１．２℃、湿度６０％、落下高さ０．８ｍ、折り曲げ部を下側にして１０回の落下試験を行ったところ両者に破損は発生しなかったが、更に１０回の落下試験を行ったところ、両者共に破損した。このことは、本発明の実施例のものは、折り返しが２層構成であるにもかかあらず、比較例の３層構成のものと同等な強さを有することが立証された。
水平落下試験
実施例及び比較例の各袋に２５ｋｇの塩を封入して行った。温度１８℃、湿度６５％、落下高さ１．２ｍ、折り曲げ面を下側にして５回、反対側を下側にして５回の水平落下試験を行った。実施例も比較例も、この試験を５回繰り返しても、袋に破損を生じなかった。このことは、本発明の実施例のものは、折り返しが２層構成であるにもかかあらず、比較例の３層構成のものと同等な強さを有することが立証された。
【００１４】
層間における内容物の移行試験
垂直落下試験後の封鎖部を開口して層間における塩の移動の有無を調べた。
実施例も比較例も、層間に塩の移動がなかった。
【００１５】
なお、本発明のように、中間層を短くしたものにあっては、強度も十分で、層間に内容物が移動するおそれがないことは実験的にも確認されたが、内層を短く、中間層及び外層を長く構成したものにあっては、落下試験の強度は本発明品と同様であることは当然であるが、中間層が短いために、その端面での、内容物である粉末又は微粒子が、この短い端部から、内層、外層との層間に移動し、この粒子の紙に対する摩擦により、内層、外層の端縁を破損することが見られた。特に２回折り曲げる折り曲げ部の部分の補強紙も、厚さの厚い折り返し部分では、袋の側面は補強紙で密封されていないので、袋が破損すれば、ここから内容物が外部に逸脱することになるが、本発明の袋では、そのおそれが全くないことが知見された。
【図面の簡単な説明】
【００１６】
【図１】本発明に係るひだ付三層紙袋（補強紙）の折り曲げ前の斜視図
【図２】本発明に係る一実施例の底部閉鎖部の縦断面図
【符号の説明】
【００１７】
ａ  内層
ｂ  中間層
ｃ  外層
ｄ  補強紙
ｅ  接着剤
ｆ  接着剤
ｇ  折り曲げ部の厚さ
ｈ  ひだ
Ｌ  折り曲げ長さ
【図１】
2008296933.tif 000003
【図２】
2008296933.tif 000004